(57)【特許請求の範囲】
【請求項１】
開口を有すると共に、導電性部材が設けられた装置筐体と、
前記開口を通して前記装置筐体内と筐体外とで移動可能な状態で、前記装置筐体に設けられ、かつ情報記録媒体に記録された情報信号を読み出す読み出し手段を保持する移動部と、
前記装置筐体に対する前記移動部の移動方向と略同一方向へ直列に設けられた開口面積が異なる細長形状の２つの孔部を有し、前記読み出し手段の接地線と電気的に接続された導電性材料から成る接地手段と、
前記２つの孔部のうち、開口面積が小さい孔部に挿通されると共に前記移動部に固定される軸部を有し、前記装置筐体に対する前記移動部の移動方向と略同一方向へ移動可能な状態で、前記接地手段を前記移動部に保持する第一の保持手段と、
前記２つの孔部のうち、開口面積が大きい孔部に挿通されると共に前記移動部に固定される軸部を有し、前記装置筐体に対する前記移動部の移動方向と略同一方向及びこの方向に直交する方向へ移動可能な状態で、前記接地手段を前記移動部に保持する第二の保持手段と、
前記第一の保持手段によって保持された位置において前記接地手段に回転モーメントを発生させる状態で、前記接地手段と前記移動部との間に設けられ、前記回転モーメントによって、前記接地手段の一端部と前記導電性部材とを常に接触した状態に維持する第一の弾性部材と、
前記装置筐体に対する前記移動部の移動方向と略同一方向に弾性力を発生させる状態で、前記接地手段と前記移動部との間に設けられ、前記装置筐体内に前記移動部が収納された場合には、前記移動部を前記装置筐体外へ移動させる状態に前記接地部材を前記移動部に対して移動させる第二の弾性部材と、
から成ることを特徴とする情報処理装置。
【請求項２】
開口を有すると共に、導電性部材が設けられた装置筐体と、
情報信号が記録された光ディスクの所定位置に光を照射し、この光照射に伴う前記光ディスクからの反射光を受光して、受光した光を電気信号に変換する光ピックアップと、前記光ディスクを所定の回転数で回転駆動するスピンドルモータと、前記光ピックアップを前記光ディスクに対して移動させ、光照射される前記光ディスク上の位置を変化させるスレッドモータと、を備え、前記開口を通して前記装置筐体内と筐体外とで移動可能な状態で前記装置筐体に設けられた移動部と、
前記装置筐体に対する前記移動部の移動方向と略同一方向へ直列に設けられた開口面積が異なる細長形状の２つの孔部を有し、前記光ピックアップ、前記スピンドルモータ、及び前記スレッドモータにおける電気回路の接地線と電気的に接続された導電性材料から成る接地手段と、
前記２つの孔部のうち、開口面積が小さい孔部に挿通されると共に前記移動部に固定される軸部を有し、前記装置筐体に対する前記移動部の移動方向と略同一方向へ移動可能な状態で、前記接地手段を前記移動部に保持する第一の保持手段と、
前記２つの孔部のうち、開口面積が大きい孔部に挿通されると共に前記移動部に固定される軸部を有し、前記装置筐体に対する前記移動部の移動方向と略同一方向及びこの方向に直交する方向へ移動可能な状態で、前記接地手段を前記移動部に保持する第二の保持手段と、
前記第一の保持手段によって保持された位置において前記接地手段に回転モーメントを発生させる状態で、前記接地手段と前記移動部との間に設けられ、前記回転モーメントによって、前記接地手段の一端部と前記導電性部材とを常に接触した状態に維持する第一の弾性部材と、
前記装置筐体に対する前記移動部の移動方向と略同一方向に弾性力を発生させる状態で、前記接地手段と前記移動部との間に設けられ、前記装置筐体内に前記移動部が収納された場合には、前記移動部を前記装置筐体外へ移動させる状態に前記接地部材を前記移動部に対して移動させる第二の弾性部材と、
から成ることを特徴とする情報処理装置。
【請求項３】
前記第一の保持手段の軸部の外径が前記開口面積の大きい孔部の内径よりも小さく、かつ前記第二の保持手段の軸部の外径が前記開口面積の小さい孔部の内径と略同一である
ことを特徴とする請求項１乃至２のいずれか１項に記載の情報処理装置。
【発明の詳細な説明】
【０００１】
【発明の属する技術分野】
本願発明は、例えばドロワー方式による光ディスク装置のような、情報記録媒体から情報信号を読み出す手段を備えた移動部とこの移動部を挿入可能であって移動部における読み出し手段を制御する手段を備えた装置筐体から成る情報処理装置において、装置筐体とこの装置筐体に対して移動が行われる移動部との間を電気的に接続し、移動部の装置筐体への接地をとるアース機構に関するものである。
【０００２】
【従来の技術】
従来より、ドロワー方式の光ディスク装置においては移動部の装置筐体へのアースをとるために、装置筐体と移動部とを電気的に接続するアースバネが用いられていた。
【０００３】
図５に、従来のドロワー方式による光ディスク装置を示す。また、図６には、この図５に示す光ディスク装置のＸ−Ｙ断面図を模式的に示す。この従来の光ディスク装置は主に、装置筐体５１、移動部５２、及びアースバネ５３を備える。なお、図６（ａ）は装置筐体５１から移動部５２が引き出された状態を示し、図６（ｂ）は装置筐体５１に移動部５２が挿入された状態を示す。
【０００４】
装置筐体５１は、光ディスク装置を制御するための図示しないメイン基板を有すると共に、後述する機構によって移動部５２を挿入可能及び引き出し可能に支持する。メイン基板は、外部コンピュータとの間で信号の送受信を行うと共に、端子５４に接続されたフレキシブルプリンテッド回路５７を介して、移動部５２との間での信号の送受信及び移動部５２に対しての電力の供給を行うことによって光ディスク装置の動作を制御する。このメイン基板を設けるために確保される空間を５１ｓで示す。
【０００５】
なお、フレキフレキシブルプリンテッド回路５７は、曲げ剛性の弱いフレキシブルな材料から成る基板とこの基板に配線された導電体から成る回路とから構成される。このフレキシブルプリンテッド回路５７は、装置筐体５１に設けられた端子５４に一端が接続されると共に移動部５２に設けられた端子５５に他端が接続され、装置筐体５１と移動部５２との間で送受信される信号を伝送すると共に装置筐体５１から移動部５２へ供給される電力を伝送する。このような構成から成るフレキシブルプリンテッド回路５７は屈曲自在に変形し、装置筐体５１に対して移動部５２が挿入された状態及び引き出された状態のどちらの状態にある場合も、装置筐体５１と移動部５２との間の電気的な接続を可能とする。
【０００６】
移動部５２は、光ピックアップ６１などの光学系、及びスピンドルモータ６２やスレッドモータ６３などの駆動系を有する。これらの光学系及び駆動系は端子５５に接続されたフレキシブルプリンテッド回路５７を介して、装置筐体５１との間で信号の送受信、及び装置筐体５１からの電力の供給を受ける。また、上記の光学系及び駆動系は、電気回路を構成要素の一部とする。
【０００７】
この移動部５２は、光ディスクが装着されるディスク装着面５６を装置筐体５１の内部及び外部に位置可能とする機構６４によって、即ち、装置筐体５１に対して矢印５Ａで示される方向に移動部５２が移動可能となる機構６４によって、ディスク装着面５６が装置筐体５１の外部に位置するように装置筐体５１から引き出されると共に、ディスク装着面５６が装置筐体５１の内部に位置するように装置筐体５１に挿入される。上記機構６４は、移動部５２と装置筐体５１との間をはしごのような構造によって連結することによって構成されている。
【０００８】
アースバネ５３は、金属製板バネのような導電性の弾性部材から成る。このアースバネ５３の一端は、移動部５２の所定位置に固定されていて、移動部５２に設けられた光学系や駆動系の電気回路における図示しない接地線、いわゆるグランドと接続されている。一方、アースバネ５３の他端は、移動部５２が装置筐体５１に挿入されている場合でも引き出されている場合でも、バネの弾性力によって装置筐体５１における天板５８の内壁面に接触している。この天板５８が導電性の金属板から構成されていることによって、移動部５２の装置筐体５１への接地、即ちアースが行われている。
【０００９】
【発明が解決しようとする課題】
しかしながら、このような構成から成る従来の光ディスク装置においては、装置の小型化を試みた際に、次のような不具合を生じていた。
図７に、上記した構成から成る従来の光ディスク装置を小型化した場合の断面図を模式的に示す。なお、図７（ａ）は装置筐体７１から移動部７２が引き出された状態を示し、図７（ｂ）は装置筐体７１に移動部７２が挿入された状態を示す。
【００１０】
この小型化された光ディスク装置においては、ディスク装着面７６によって占有される面積が移動部７２のサイズに対して有効に利用されるように、天板７８に対向する移動部７２の面一杯にディスク装着面７６が設けられる。このようなディスク装着面７６が設けられた移動部７２を装置筐体７１から引き出して光ディスクの脱着を支障無く行うためには、移動部７２と装置筐体７１が泣き別れの状態となるまで、即ち、移動部７２の全体が装置筐体７１の内部から完全に取り出された状態となるまで、移動部７２が装置筐体７１から引き出されるように光ディスク装置を構成しなければならない。
【００１１】
このように光ディスク装置を構成した場合には、上記のように移動部７２と装置筐体７１が泣き別れの状態となる。このため、移動部７２の装置筐体７１へのアースが行われるように、即ち、アースバネ７３の一端と天板７８が接触するように、アースバネ７３の一端を長くしなければならなくなる。
【００１２】
しかしながら、移動部７２と装置筐体７１が泣き別れの状態にあるときに、上記したアースバネ７３の一端を、天板７８と接触するように長く構成してしまうと、図７（ｂ）に示すように、移動部７２を装置筐体７１へ挿入する際にアースバネ７３の一端が装置筐体７１の背板７９に突き当たり、このアースバネ７３が障害となって移動部７２を装置筐体７１へ完全に挿入することが不可能となる。
【００１３】
このように移動部７２を装置筐体７１へ完全に挿入することができなくなると、移動部７２での情報信号の読み出し動作に支障を来すようになる。また、移動部７２が完全に挿入されないことによって装置筐体７１の内部に作られる余分な空間が、光ディスク装置の小型化を阻害するようになる。
【００１４】
本願発明は上記のような不具合を無くすためになされたものであり、光ディスク装置が小型化された場合においても他の部分に支障を来すことなく、移動部の装置筐体へのアースを行うことが可能なアース機構を有する光ディスク装置の提供を目的とする。
【００１５】
【課題を解決するための手段】
本願発明に係る光ディスク装置は、上記目的を達成するために、開口を有すると共に導電性部材が設けられた装置筐体と、前記開口を通して前記装置筐体内と筐体外とで移動可能な状態で前記装置筐体に設けられ、電気回路が一部を構成する情報記録媒体に記録された情報信号を読み出す読み出し手段を保持する移動部と、前記装置筐体に対する前記移動部の移動方向と略同一方向へ移動可能な状態で前記移動部に保持され、前記導電性部材に一端部を接触させた状態を常に維持すると共に、前記電気回路における接地線と電気的に接続された導電性材料から成る接地手段と、から成ることを特徴とする。
【００１６】
このような構成から成る本願発明による光ディスク装置は、移動部における電気回路の接地線と電気的に接続された接地手段が、装置筐体における導電性部材に一端部を接触させた状態を常に維持している。このために、移動部が装置筐体に対して挿入されている場合でも取り出されている場合でも、移動部の装置筐体への接地、即ちアースをとることができる。また、このアースをとっている接地手段は、装置筐体に対する移動部の移動方向と略同一方向へ移動可能な状態で移動部に保持されている。このために、装置筐体に対する移動部の挿入及び引き出しに支障を来さないように、移動部に対して接地手段を移動させることが可能である。
【００１７】
【発明の実施の形態】
以下に、本願発明の実施の形態を、図面を参照しながら説明する。
図１に、本願発明の実施の形態に係る光ディスク装置を示す。また、図２には、この図１に示す光ディスク装置のＸ−Ｙ断面図を模式的に示す。この本発明による光ディスク装置は主に、装置筐体１１、移動部１２、イジェクトスライダー１３によって構成される。なお、この図１及び図２には、装置筐体１１から移動部１２が完全に引き出された状態にある光ディスク装置を示している。
【００１８】
装置筐体１１は、移動部１２を挿入するための開口１１ａと、光ディスク装置の動作を制御させるためのメイン基板３１とを有する。開口１１ａを通して、装置筐体１１の内部に移動部１２が挿入されると共に、外部に移動部１２が引き出される。装置筐体１１は後述する機構によって、移動部１２を挿入可能及び引き出し可能に支持する。メイン基板３１は、外部コンピュータとの間で信号の送受信を行うと共に、端子１４に接続されたフレキシブルプリンテッド回路１７を介して、移動部１２との間での信号の送受信及び移動部１２に対しての電力の供給などを行い、光ディスク装置の動作制御を行う。この装置筐体１１には、メイン基板３１を設けるために空間１１ｓが確保される。
【００１９】
移動部１２は、光ピックアップ３２などの光学系、及びスピンドルモータ３３やスレッドモータ３４などの駆動系を有する。光ピックアップ３２は、光ディスク装置に装着された光ディスクなどの情報記録媒体の所定位置に光ビームを照射すると共に、この照射によって生ずる反射光を受光し、受光した光を電気信号に変換することによって、光ディスクに記録された情報信号を読み取るためのものである。スピンドルモータ３３は、光ディスクからの情報信号の読み出しが所定の読み出し速度で行われるように、光ディスクを所定の回転速度で回転させるためのものである。スレッドモータ３４は、モータ回転軸と図示しないギヤとが連結し合うことによって、光ピックアップ３２を光ディスクの半径方向へ移動させ、光ディスク上の所定位置に光照射を行わせるためのものである。これらの光学系及び駆動系は端子１５に接続されたフレキシブルプリンテッド回路１７を介して、装置筐体１１との間で信号の送受信、及び装置筐体１１からの電力の供給を受ける。
【００２０】
この移動部１２は、光ディスクが装着されるディスク装着面１６を装置筐体１１の内部及び外部に位置することを可能となす機構によって、即ち、装置筐体１１に対して矢印１Ａで示される方向に移動部１２が移動可能となる機構によって、ディスク装着面１６が装置筐体１１の外部に位置するように装置筐体１１から引き出されると共に、ディスク装着面１６が装置筐体１１の内部に位置するように装置筐体１１に挿入される。なお、上記機構は、装置筐体１１の内側面及び移動部１２の外側面に設けられた図示しない溝部とレール３５とが互いに係合した、はしごのように伸縮自在な構成から成る。
【００２１】
イジェクトスライダー１３は、装置筐体１１に完全に挿入された移動部１２を、装置筐体１１から取り出すときに使用すると共に、装置筐体１１への移動部１２のアースを行うときに使用するものである。図２に示したイジェクトスライダー１３の部分を、図３に拡大して示す。このイジェクトスライダー１３は、金属等の導電性材料から成るＬ字形状の部材であり、移動部１２に設けられた光学系や駆動系の電気回路における図示しない接地線、いわゆるグランドと接続されている。また、前記したＬ字形状の部材は、短冊形状をした第一の部材とこの短冊形状の長手方向と直交する方向に長手方向を有する短冊形状をした第二の部材とから構成される。
【００２２】
前記第一の部材においては、前記短冊形状の長手方向に沿って細長形状の孔部１３ａ及び１３ｂを直列に形成する。この細長形状は、例えば、所定の内径を有する円形状の孔を、前記長手方向と平行する方向に連続して形成するとできる形状である。この細長形状を有する孔部１３ａ及び１３ｂのうち、矢印２Ａで示す移動部１２が装置筐体１１へ挿入される挿入方向の側に形成されている孔部１３ａについては、他方の孔部１３ｂよりも大きい開口面積となるように、即ち、孔部１３ａにおける前記所定の内径を孔部１３ｂにおける前記所定の内径よりも大きい値に設定して、孔部１３ａ及び１３ｂを形成する。さらに、前記第二の部材においては、バネ２１の一端を引っ掛けるための掛引部１３ｃが設けられている。この掛引部１３ｃについては後述する。
【００２３】
このような構成のイジェクトスライダー１３を移動部１２に保持すると共に、前記挿入方向と略同一方向へこのイジェクトスライダー１３を移動可能とするために、保持部材２３及び２４が用いられる。この保持部材２３及び２４は、例えばネジ等の部材であり、保持される部材に挿通してこの保持される部材を保持するための軸部を有する。このような保持部材２３の軸部を孔部１３ａに挿通して移動部１２に固定すると共に、他方の保持部材２４の軸部を孔部１３ｂに挿通して移動部１２に固定する。この場合には、イジェクトスライダー１３が前記挿入方向と略同一方向へ移動可能となるような移動部１２上の所定位置に保持部材２３及び２４を固定する。
【００２４】
また、保持部材２３における軸部の外径は孔部１３ａにおける前記所定の内径よりも比較的小さいものに設定し、保持部材２４における軸部の外径は孔部１３ｂにおける前記所定の内径と略同一となるように設定する。これによって、孔部１３ａを挿通する保持部材２３によってイジェクトスライダー１３は二方向（即ち、移動部１２が装置筐体１１へ挿入される方向に略同一方向及びこの方向に直交する方向）への移動が可能であるように保持されると共に、孔部１３ｂを挿通する保持部材２４によってイジェクトスライダー１３は一方向（即ち、移動部１２が装置筐体１１へ挿入される方向に略同一方向）のみに移動可能に保持される。このような構成により、イジェクトスライダー１３は前記挿入方向へ移動可能であると共に、保持部材２４によって挿通された位置を中心として回動可能となる。
【００２５】
さらに、このイジェクトスライダー１３に設けられた掛引部１３ｃにはバネ２１の一端が引っ掛けられる。一方、バネ２１の他端は、移動部１２に設けられた掛引部１２ｃに引っ掛けられる。これらの掛引部１２ｃ及び１３ｃに引っ掛けられたバネ２１は、イジェクトスライダー１３を移動部１２に対して前記挿入方向へ保持するための弾性力を移動部１２とイジェクトスライダー１３との間に与える。また同時に、保持部材２４が挿通されている位置を中心としてイジェクトスライダー１３を回転させるための回転モーメントをイジェクトスライダー１３に与える。この場合、上記弾性力と上記回転モーメントをイジェクトスライダー１３に与えるバネは別々に構成されていてもよい。
【００２６】
イジェクトスライダー１３を移動部１２に設ける場合には、バネ２１の弾性力を受けて、移動部１２に対して前記挿入方向へ保持された状態にあるイジェクトスライダー１３が、泣き別れの状態となっている装置筐体１１の底板１０と接触することができるように、イジェクトスライダー１３のサイズや移動部１２への取付位置を設定しておく。また、上記した回転モーメントによって、イジェクトスライダー１３の一端部１３ｄを装置筐体１１の底板１０に押し付けるように働く作用がイジェクトスライダー１３に発生するように、移動部１２に設けられるイジェクトスライダー１３の位置及びバネ２１によりイジェクトスライダー１３に与えられる弾性力の方向などを設定しておく。
【００２７】
このようなイジェクトスライダー１３の一端部１３ｄが押し付けられる装置筐体１１における底板１０は、金属等の導電性材料から成る板形状をした部材であって、移動部１２に設けられた光学系や駆動系の電気回路における接地線からのアース電流を、イジェクトスライダー１３を介して導入することが可能な部材である。
【００２８】
この底板１０に対して、上記のようにイジェクトスライダー１３は常に押し付けられた状態を維持している。このため、移動部１２と装置筐体１１との間は、イジェクトスライダー１３を介して、移動部１２に設けられた光学系や駆動系の電気回路における接地線と装置筐体１１における底板２１とが電気的に常に接続された状態が維持されている。したがって、装置筐体１１に対して移動部１２が挿入されている場合及び引き出されている場合の何れの場合においても、装置筐体１１へ移動部１２のアースをとることが可能である。
【００２９】
本願発明に係る光ディスク装置におけるその他の構成として、フレキシブルプリンテッド回路１７は、装置筐体１１に設けられた端子１４と接続される一端及び移動部１２に設けられた端子１５と接続される他端とを有し、装置筐体１１と移動部１２との間で送受信される信号を伝送すると共に装置筐体１１から移動部１２へ供給される電力を伝送する。なお、仮に、このフレキシブルプリンテッド回路１７を用いてアースを行うと、アースによって流されるアース電流がフレキシブルプリンテッド回路１７によって送受信される信号にノイズ等の悪影響を及ぼす可能性があるため、このフレキシブルプリンテッド回路１７を使用して移動部１２のアースを装置筐体１１にとることは適していない。
【００３０】
このフレキシブルプリンテッド回路１７は、曲げ剛性の弱い材料、いわゆるフレキシブルな材料から成る基板と、端子１４に接続されるフレキシブルプリンテッド回路１７の一端と端子１５に接続されるフレキシブルプリンテッド回路１７の他端とが電気的に接続されるように、前記基板に配線された導電体から成る回路とによって構成される。このような構成から成るために、フレキシブルプリンテッド回路１７は装置筐体１１に対する移動部１２の前記移動が行われる際には屈曲自在に変形可能である。このようなフレキシブルプリンテッド回路１７は、装置筐体１１に対して移動部１２が挿入された状態及び引き出された状態のどちらの状態にある場合も、装置筐体１１と移動部１２との間の電気的な接続を可能とするように、装置筐体１１と移動部１２との間に配置されている。例えば、装置筐体１１の端子１４に一端が接続されたフレキシブルプリンテッド回路１７は、装置筐体１１における底板２１の内壁面に沿って配置された後に装置筐体１１の内部で折り返され、さらにもう一度、装置筐体１１の内部で折り返された後に、移動部１２の端子１５に他端が接続される。
【００３１】
次に、図４に、本願発明に係る光ディスク装置において、装置筐体１１に移動部１２が完全に収納された状態の断面図を模式的に示す。この状態においては、矢印２Ａで示す前記挿入方向側に位置する移動部１２の一端部１２ｅが、装置筐体１１における背板１９の内壁面に突き当たっている。また、図示しない保持機構によって、移動部１２が装置筐体１１に完全に収納された状態が保持されている。
【００３２】
このような状態にあるとき、イジェクトスライダー１３は、前記挿入方向側に位置する一端部１３ｅが装置筐体１１における背板１９の内壁面に突き当たった状態にあると同時に、イジェクトスライダー１３にはバネ２１の弾性力を受けて、背板１９を押す力と底板１０を押す力とが働いている。
【００３３】
即ち、イジェクトスライダー１３は、移動部１２が装置筐体１１へ挿入される途中に、この挿入方向側にあるイジェクトスライダー１３の一端部１３ｅが装置筐体１１における背板１９の内壁面に突き当たる。この後、さらに移動部１２の装置筐体１１への挿入が続くと、イジェクトスライダー１３の一端部１３ｅが背板１９の内壁面に突き当たった状態で、イジェクトスライダー１３が移動部１２に対して移動を始める。このとき、バネ２１の弾性力を受けて、イジェクトスライダー１３にはこの一端部１３ｅにおいて装置筐体１１の背板１９の内壁面を押す力が作用している。また、前記したように、イジェクトスライダー１３は、移動部１２が装置筐体１１に挿入されている状態でも装置筐体１１から引き出されている状態でも、装置筐体１１における底板１０にイジェクトスライダー１３の一端部１３ｄを押し付けている。つまり、イジェクトスライダー１３は、底板１０と摺接した状態で、移動部１２を装置筐体１１から押し出すように作用している。
【００３４】
このイジェクトライダー１３は、一端部１３ｄにおいて底板１０と常に摺接しているために、前記のように移動部１２の装置筐体１１へのアースをとることを可能とする。なおかつ、イジェクトスライダー１３は移動部１２を装置筐体１１から押し出すように作用しているため、前記した保持機構によって保持された状態、即ち、移動部１２が装置筐体１１に完全に挿入された状態を仮に解除した場合に、装置筐体１１から実質的に移動部１２を押し出す動作を可能とする。
【００３５】
以上説明したようなイジェクトスライダー１３は、光ディスク装置が小型化された場合に有効である。つまり、光ディスク装置を小型化していった場合には、上記したように装置筐体１１から移動部１２を完全に引き出すと、装置筐体１１と移動部１２が泣き別れの状態になるような場合がある。このような光ディスク装置においても、上記したイジェクトスライダー１３が設けられた本願発明に係る光ディスク装置であれば、このイジェクトスライダー１３によって装置筐体１１と移動部１２を常に電気的に接続した状態を維持することが可能である。
【００３６】
さらに、このようなアース状態を可能とする部材がイジェクトスライダー１３であることから、本願発明に係る光ディスク装置においては、装置筐体１１から移動部１２を押し出すというイジェクトスライダー本来の動作と、上記のようなアース動作とを、イジェクトスライダー１３という１つの部材によって行わせることが可能である。このことは光ディスク装置を構成する部品点数を少なくし、光ディスク装置の小型化を一層促進させる。
【００３７】
【発明の効果】
以上説明したように、本願発明に係る光ディスク装置は、光ディスク装置が小型化された場合においても他の部分に支障を来すことなく、移動部の装置筐体へのアースを行うことが可能である。
【図面の簡単な説明】
【図１】本願発明の実施の形態に係る光ディスク装置の外観を模式的に示す図。
【図２】本願発明の実施の形態に係る光ディスク装置の断面を模式的に示す図。
【図３】本願発明の実施の形態に係る光ディスク装置筐体から移動部が取り出された状態におけるイジェクトスライダーを示す図。
【図４】本願発明の実施の形態に係る光ディスク装置筐体に移動部が挿入された状態におけるイジェクトスライダーを示す図。
【図５】従来の光ディスク装置の外観を模式的に示す図。
【図６】従来の光ディスク装置の断面を模式的に示す図。
【図７】従来の光ディスク装置を小型化した場合における装置筐体と移動部との関係を示す図。
【符号の説明】
１０              導電性部材（底板）
１１              装置筐体
１１ａ            開口
１２              移動部
１３              接地手段（イジェクトスライダー）
１３ａ、１３ｂ    孔部
１７              フレキシブルプリンテッド回路
１８              天板
１９              背板
２１              弾性部材（バネ）
２３、２４        保持手段
３２              光ピックアップ
３３              スピンドルモータ
３４              スレッドモータ
【図１】
0003629114.tif 000002
【図２】
0003629114.tif 000003
【図３】
0003629114.tif 000004
【図４】
0003629114.tif 000005
【図５】
0003629114.tif 000006
【図６】
0003629114.tif 000007
【図７】
0003629114.tif 000008